(57)【要約】      （修正有）【課題】直管形蛍光ランプ用の照明器具への誤装着が起こりにくい直管形ＬＥＤランプとそれに使用するソケット、及び照明器具を提供する。【解決手段】直管形ＬＥＤランプ１の口金ピンの少なくとも一対のピン１２ａの間に、該ピンの側面部の少なくとも一部が外側に露呈するように着脱可能に挟持され、ソケット２に内装された直管形ＬＥＤランプの装着を可能とする装着解除部材を押圧する突部を有している誤装着防止部材１４と、誤装着防止部材を装着した直管形ＬＥＤランプと、誤装着防止部材に応動して装着解除部材を移動可能に保持する回転子と、装着解除部材と干渉する回転規制リブと、回転子と接触する給電用接触子とを備えており、誤装着防止部材を装着した口金ピンの着脱に伴い、装着解除部材が前記回転規制リブとの干渉位置と非干渉位置を移動可能とした直管形ＬＥＤランプを装着可能とする装着解除部材が設けられているソケットとからなる。【選択図】図１
2014103040.tif 000002
【特許請求の範囲】
【請求項１】
ＬＥＤを実装した直管形ＬＥＤランプにおいて、
直管形ＬＥＤランプの口金ピンに、着脱可能に設けたことを特徴とする誤装着防止部材。
【請求項２】
前記誤装着防止部材は、前記口金ピンの少なくとも一対のピンの間に、該ピンの側面部の少なくとも一部が外側に露呈するように挟持されることを特徴とする請求項１に記載の誤装着防止部材。
【請求項３】
前記誤装着防止部材は、前記口金ピンの外形に合わせて断面半円形の口金ピン係入部を有していることを特徴とする請求項２又は請求項３に記載の誤装着防止部材。
【請求項４】
前記誤装着防止部材は、前記口金ピンのソケットに内装された、直管形ＬＥＤランプの装着を可能とする装着解除部材を押圧する突部を有していることを特徴とする請求項１〜３のいずれかに記載の誤装着防止部材。
【請求項５】
ＬＥＤを実装した直管形ＬＥＤランプにおいて、
該直管形ＬＥＤランプの口金ピンに、誤装着防止部材を着脱可能に設けたことを特徴とする直管形ＬＥＤランプ。
【請求項６】
請求項１〜５のいずれかに記載の前記直管形ＬＥＤランプの口金ピンが装着されるソケットであって、前記装着防止部材に応動して前記直管形ＬＥＤランプを装着可能とする前記装着解除部材が設けられていることを特徴とするソケット。
【請求項７】
前記ソケットは、前記装着解除部材を移動可能に保持する回転子と、前記装着解除部材と干渉する回転規制リブと、前記回転子と接触する給電用接触子と、を備えており、
前記誤装着防止部材を装着した口金ピンの着脱に伴い、前記装着解除部材が前記回転規制リブとの干渉位置と非干渉位置を移動可能としたことを特徴とする請求項６に記載のソケット。
【請求項８】
請求項１〜４のいずれかに記載の誤装着防止部材と、
請求項５記載の直管形ＬＥＤランプと、請求項６又は請求項７のいずれかに記載のソケットとからなることを特徴とする照明器具。
【発明の詳細な説明】
【技術分野】
【０００１】
本発明は、直管形ＬＥＤランプを光源として使用する照明装置に関するものである。
【背景技術】
【０００２】
従来より、直管形蛍光ランプはＧ１３口金を両端に有するものが使われ、同時に直管形蛍光ランプを使用する照明器具はＧ１３口金に対応したソケットが配置される。一方、既設の照明器具に、直管形蛍光ランプの代わりに使用可能な光源として、低消費電力で長寿命である直管形ＬＥＤランプがある。直管形ＬＥＤランプは、直管形蛍光ランプと外形寸法が同じで、両側にＧ１３口金が設けられているため、既設の照明器具に配置されたソケットに装着が可能であった。
【０００３】
しかしながら、直管形ＬＥＤランプは電源回路を内蔵し、既設の照明器具の直管形蛍光ランプ用の点灯回路でそのまま点灯可能なものもあるが、直管形蛍光ランプ用の点灯回路では点灯できず、直管形ＬＥＤランプ用の点灯回路と交換の必要があるものもある。そのため、直管形蛍光ランプを用いる既設の照明器具で、専用の点灯回路を必要とする直管形ＬＥＤランプを使用できるように改造する場合、点灯回路をＬＥＤランプ用のものと交換するなどの改造工事が必要であった。
【先行技術文献】
【特許文献】
【０００４】
【特許文献１】特開２００４−３３５４２６号公報
【発明の概要】
【発明が解決しようとする課題】
【０００５】
上述のように直管形蛍光ランプと、その代替光源である直管形ＬＥＤランプが同じ口金を使用している場合、直管形蛍光ランプ用の照明器具を直管形ＬＥＤランプ用に改造した後でも、再び直管形蛍光ランプが装着されたり、他メーカーのＬＥＤランプが装着される可能性がある。また、直管形蛍光ランプ用の点灯回路を備えた照明器具に、蛍光ランプ用の点灯回路では点灯できない直管形ＬＥＤランプが、誤って接続される可能性もあった。
【０００６】
また、誤って接続されないように口金形状を新規格のものにするには、専用の製造設備が必要であった。
【０００７】
本発明は上記課題に鑑みて為されたものであり、直管形蛍光ランプ用の照明器具への誤装着を防止できる直管形ＬＥＤランプとソケット、及びそれらを配置する照明器具を提供することを目的とする。
【課題を解決するための手段】
【０００８】
請求項１に記載の発明にあたっては、ＬＥＤを実装した直管形ＬＥＤランプにおいて、
該直管形ＬＥＤランプの口金ピンに、誤装着防止部材を着脱可能に設けたことを特徴とするものである。
【０００９】
請求項２に記載の発明にあたっては、前記誤装着防止部材は、前記口金ピンの少なくとも一対のピンの間に、該ピンの側面部の少なくとも一部が外側に露呈するように挟持されることを特徴とするものである。
【００１０】
請求項３に記載の発明にあたっては、前記誤装着防止部材は、前記口金ピンの外形に合わせて断面半円形の口金ピン係入部を有していることを特徴とするものである。
【００１１】
請求項４に記載の発明にあたっては、前記誤装着防止部材は、前記口金ピンのソケットに内装された、直管形ＬＥＤランプの装着を可能とする装着解除部材を押圧する突部を有していることを特徴とするものである。
【００１２】
請求項５に記載の発明にあたっては、ＬＥＤを実装した直管形ＬＥＤランプにおいて、
該直管形ＬＥＤランプの口金ピンに、誤装着防止部材を着脱可能に設けたことを特徴とするものである。
【００１３】
請求項６に記載の発明にあたっては、請求項１〜５のいずれかに記載の前記直管形ＬＥＤランプの口金ピンが装着されるソケットであって、前記装着防止部材に応動して前記直管形ＬＥＤランプを装着可能とする前記装着解除部材が設けられていることを特徴とするものである。
【００１４】
請求項７に記載の発明にあたっては、前記ソケットは、前記装着解除部材を移動可能に保持する回転子と、前記装着解除部材と干渉する回転規制リブと、前記回転子と接触する給電用接触子と、を備えており、前記誤装着防止部材を装着した口金ピンの着脱に伴い、前記装着解除部材が前記回転規制リブとの干渉位置と非干渉位置を移動可能としたことを特徴とするものである。
【００１５】
請求項７に記載の発明にあたっては、請求項１〜４のいずれかに記載の誤装着防止部材と、請求項５記載の直管形ＬＥＤランプと、請求項６又は請求項７のいずれかに記載のソケットとからなることを特徴とするものである。
【発明の効果】
【００１６】
本発明によれば、給電用ソケットは、該内部に設けられた規制リブとロック部材により口金の装着を規制し、給電用口金ピンに誤装着防止部材が挟持された口金のみ、ソケットに設けられた装着規制を解除することができ、照明器具に装着することができる。この際、誤装着防止部材の相対向する側壁は口金ピンの外形に合わせて半円形に抉られいるので、不用意に脱落することはなく、また、装着規制を解除するときの回動によっても脱落することはない。したがって、本発明の照明器具には、専用の直管形ＬＥＤランプしか装着して点灯することはできず、誤ってＧ１３口金の直管形ＬＥＤランプを装着されるのを防止することが期待できる。
【００１７】
また、口金ピンはＧ１３規格のため、口金の製造には従来の設備がそのまま使用可能であり、既設設備の有効利用と新規の設備投資が不要である。
【図面の簡単な説明】
【００１８】
【図１】本発明の直管形ＬＥＤランプ及びソケットの外観斜視図であり、（ａ）（ｂ）は同直管形ＬＥＤランプの長さ方向の一方向及び他方向から見た状態をそれぞれ示している。
【図２】同上の直管形ＬＥＤランプ及び装着解除部材の外観斜視図である。
【図３】同上の直管形ＬＥＤランプに用いる装着解除部材を示し、（ａ）は正面図、（ｂ）は側面図、（ｃ）は外観斜視図である。
【図４】同上の給電用ソケットの図であり、（ａ）は正面図、（ｂ）は側面図、（ｃ）は同図記載のＢ−Ｂ’の線断面図、（ｄ）は同図記載のＣ−Ｃ’の線断面図、(ｅ)は外観斜視図である。
【図５】同上の直管形ＬＥＤランプの給電ソケットの部品構成図である。
【図６】同上の給電用ソケットに給電側の口金を嵌合させるときの動作を説明するための、図１記載のＡ−Ａ’線断面図であり、（ａ）は装着前の状態、（ｂ）は装着開始時の状態、（ｃ）は装着完了時の状態、（ｄ）は誤装着解除部材を備えない口金が給電用ソケットに挿入された状態を示す。
【図７】同上の保持用ソケットの図であり、（ａ）は正面図、（ｂ）は側面図、（ｃ）は平面図、（ｄ）は外観斜視図である。
【図８】同上の保持用ソケットの図であり、（ａ）は部品構成図、（ｂ）は図７記載のＤ−Ｄ’の線断面図である。
【図９】同上の保持用ソケットに保持側の口金を嵌合させるときの動作を説明するための、図７記載のＥ−Ｅ’線断面図であり、（ａ）は装着前の状態、（ｂ）は装着開始時の状態、（ｃ）は装着完了時の状態を示す。
【発明を実施するための形態】
【００１９】
以下に、本発明に係る直管形ＬＥＤランプ及びこの直管形ＬＥＤランプが装着されるソケットの実施形態を図面に基づいて説明する。
【００２０】
図１に直管形ＬＥＤランプ１の外観斜視図を示す。該直管形ＬＥＤランプ１は、透光性を有する合成樹脂材料により直管状に形成されたカバー１１を備えている。カバー１１の軸方向一端側には給電用口金１２が設けられ、カバー１１の軸方向他端側には保持用口金１３が設けられている。給電用口金１２側には給電用ソケット２が配置され、保持用口金１３側には保持用ソケット３が配置されている。図１（ｂ）に示すように、給電用口金１２の端面に突設された一対の給電用口金ピン１２ａ、１２ａには、誤装着防止部材１４が挟持されている。カバー１１の内部には、複数のＬＥＤを実装したＬＥＤ基板（図示せず）が収納されている。
【００２１】
一対の給電用口金ピン１２ａ、１２ａは、金属等の剛性の高い材料で円筒形に形成され、カバー１１の内部で例えばリード線を介して上記のＬＥＤ基板に電気的に接続されている。
【００２２】
誤装着防止部材１４は、図２、図３に示すように、合成樹脂などの絶縁材料で一体成形された略直方形の板体であり、その前面部には突部１４ｂが突設され、上下両面部には給電用口金ピン１２ａ、１２ａの係入部１４ａ、１４ａが形成されている。係入部１４ａ，１４ａは、給電用口金ピン１２ａ、１２ａの直径と略同等の曲率で半円筒形状に形成されており、これら係入部１４ａ、１４ａの間に一対の給電用口金ピン１２ａ、１２ａが軽圧入されることにより、誤装着部材１４が着脱可能に挟持される。誤装着防止部材１４は、前述のように絶縁材料で形成されているので、一対の給電用口金ピン１２ａ、１２ａの絶縁性は維持される。
【００２３】
給電用ソケット２は、図４、図５に示すように、本体２１と、本体２１に回転自在に取付けられた回転子４１と、回転子４１の内部に軸方向に移動可能に保持された装着解除部材４２と、本体２１内に収納された一対の給電用接触子５、５を備えている。尚、給電用ソケット２の説明では、図４（ａ）に示す向きにおいて上下左右の方向を規定し、図４（ｂ）の左側を前方、右側を後方として説明を行う。
【００２４】
本体２１は絶縁性を有する合成樹脂製の筐体であり、後面部が後面板２４で塞がれている。本体２１の前面には丸穴状に開口部２３が開口し、その開口部２３に回転子４１が本体２１に対して回転自在に収納されている。なお、回転子４１の前面と本体２１の前面は略同じ位置（略同一平面上）にある。本体２１の上面の中央部には前方に切り欠かれた案内溝２２が開口部２３と連通して形成されている。本体２１の内面部には、図４（ｄ）に示すように、下端部近くに、開口部２３を挟んだ左右両側部に給電用接触子５、５を固定する断面コ字状の固定部２７、２７が形成され、中央部には、後述するように装着解除部材４２と干渉してその回転を阻止する一対の規制リブ２５、２５が突設されている。
【００２５】
回転子４１は絶縁性を有する合成樹脂製で、前面となる円盤部４１ａと、該円盤部４１ａと同軸の筒部４１ｂを有している。円盤部４１ａと筒部４１ｂの直径方向には溝部４１ｃが形成されており、筒部４１ｂの溝部４１ｃに装着解除部材４２が軸方向に移動可能な状態で保持されている。
【００２６】
装着解除部材４２は、図５に示すように、バネ挿入筒部４２ｅの前端部を閉塞する前面部４２ｄと、前面部４２ｄと段差を設けてバネ挿入筒部４２ｅの上下方向に突設された略Ｔ字状の段差面部４２ａと、その段差面部４２ａに立設され前面部４２ｄ方向にＬ字状に屈折した形状の規制端部４２ｂが一体成形されている。装着解除部材４２は回転子筒部４１ｂの溝部４１ｃに挿入された状態で、バネ挿入筒部４２ａにバネ４３が挿入され、バネ４３の後端部は後面板２４の内面部に突設された係入ピン２６に係入されている。これにより、装着解除部材４２は、回転子前面部４２ｂ方向に付勢され、段差面部４２ａが回転子前面部４２ｂの背面部に当接した状態となる。尚、バネ４３は、ピアノ線等の金属線により形成されている。
【００２７】
一対の給電用接触子５、５は、その下端部に、外側に屈折した固定端部５ａ、５ａが形成されており、前記ソケット本体２１内の固定部２７、２７に、その固定端部５ａ、５ａを軽圧入して止着している。給電用接触子５、５の保持片５ｂ、５ｂは弾力性を有しており、本体２１内部の上面部近くまで延びて前記回転子筒部４１ｂの外周面部を左右両側から挟んでいる。
【００２８】
上述の給電ソケット２は、口金ピン１２ａ、１２ａを装着する前は、装着解除部材４２が回転子４１の前面部４１ａ方向にバネ４３によって押圧され、装着解除部材４２の段差面部４２ａ、４２（Ｔ字の上端部分）が回転子前面部４１ａの背面部に当接するとともに（段差面部４２ａ、４２ａがストッパとなる）、回転子規制端部４２ｂ、４２ｂがソケット本体２１の内部に設けられた規制リブ２５、２５と干渉して回転子４１が回転できない状態となっている。そして、口金ピン１２ａ、１２ａを回転子４１の前面部４１ａの溝部４１ｃに挿入すると、装着解除部材４２の段差面部４２ａ、４２ａを押圧し、装着解除部材４２をバネ４３の押圧力に抗して回転子筒部４１ｂの後端部まで移動させることができる。この状態から、後述するように、口金ピン１２ａ、１２ａに誤装着防止部材１４を装着した場合のみ、直管形ＬＥＤランプ１の回転に伴って回転子４１が所定角度回転し、口金ピン１２ａ、１２ａと給電用接触子５、５が接触することになる。
【００２９】
次に、誤装着防止部材１４を備えた口金１２が給電用ソケット２に装着される状態について図６を用いて説明する。図６(ａ)は装着開始前の状態であり、前述したように、装着解除部材４２は、両端に設けられた規制端部４２ｂ、４２ｂが、給電用ソケット本体２１の内部に設けられた規制リブ２５と干渉しているため、装着解除部材４２を挟持している回転子４１とともに回転できない。
【００３０】
図６（ｂ）は、給電用口金ピン１２ａ、１２ａの間に誤装着防止部材１４を装着して給電ソケット２の回転子円盤部４１ａの溝部４１ｃ（案内溝４４）から差し込んだときの状態である。誤装着防止部材１４の突部１４ｂは、装着解除部材４２の前面部４２ａと当接してバネ４３の弾性力に抗して押圧することにより、装着解除部材４２は回転子筒部４１ｂの溝部に沿って移動し、後面板２４に当接するまで押し込まれる。このとき、装着解除部材４２の両端に設けられた規制端部４２ｂ、４２ｂが、給電用ソケット本体２１の内部に設けられた規制リブ２５から外れるため、装着解除部材４２を挟持している回転子４１が回転可能となる。
【００３１】
回転子４１が回転可能となったため、直管形ＬＥＤランプ１のカバー１１を所定角度（９０度）回転させる。このとき、誤装着防止部材１４の係入部１４ａ，１４ａに係入された口金ピン１２ａ，１２ａは、外面側が係入部１４ａ，１４ａから露呈しているため、一対の給電用接触子５、５の保持片５ｂ、５ｂと弾性的に接触し、誤装着防止部材１４とで口金ピン１２ａ、１２ａが挟持され、口金ピン１２ａ，１２ａから給電が可能となる。これにより、図６（ｃ）に示すように口金１２の給電用ソケット２への装着が完了する。
【００３２】
一方、誤装着防止部材１４を備えない口金１２が給電用ソケット２に装着しようとした状態について図６（ｄ）を用いて説明する。口金１２の口金ピン１２ａ、１２ａを回転子４１の前面部４１ａの溝部４１ｃに挿入すると、回転子４１に保持されている装着解除部材４２は、バネ４３により回転子前面部４１ａに押接されている状態から、一対の口金ピン１２ａ、１２ａにより回転子筒部４１ｂの溝部４１ｃに沿って後面板２４の方向へ移動する。しかし、口金ピン１２ａ、１２ａに誤装着防止部材１４が装着されていないため、該誤装着防止部材１４の突部１４ｂの長さだけ、装着解除部材４２の押し込みのストロークが短くなる。このため、装着解除部材規制部材４２ａ、４２ａと給電用ソケット本体２１の規制リブ２５、２５との干渉が解除されないため、口金１２を回転させようとしても、装着解除部材４２を保持している回転子４１の回転が阻止される。したがって、誤装着防止部材１４を備えない口金１２の場合、給電用ソケット２に装着することはできない。
【００３３】
一方、図１（ａ）に示すように、保持用口金１３の端面には端面の中心部から直管形ＬＥＤランプ１の軸方向に向かって突出する一対の保持用口金ピン１３ａ、１３ａが設けられている。保持用口金ピン１３ａ、１３ａは、金属等の剛性の高い材料を用いて、軸方向に細長い円筒形や矩形に形成される。
なお、保持用口金ピン１３ａ、１３ａは、カバー１１の内部に収納される前述のＬＥＤ基板と電気的な接続はなされていない。
【００３４】
保持用ソケット３について、図７、図8、図９を参照して説明する。なお、保持用ソケット３の説明では、図７（ａ）に示す向きにおいて上下左右の方向を規定し、図７（ｂ）の左側を前方、右側を後方として説明を行う。
【００３５】
保持用ソケットの本体３１の上面から前面にかけては、直管形ＬＥＤランプ１の保持用口金ピン１３ａ、１３ａが挿入されるＳ字状案内溝３２が本体前方まで連続し、本体前方では略Ｓ字型に形成されており、保持用口金ピン１３ａ、１３ａが所定の位置で保持されるように、両端には係止片３３、３３が備えられている。
【００３６】
保持用ソケット３は図８（ａ）に示すように本体３１とフタ３５で構成されている。Ｓ字状案内溝３２は本体３１と一体で成形されるが、本体３１の内部には、図９に示すように、Ｓ字状案内溝３２に沿って一対の環枠状の係合部３４ｂ、３４ｂが形成されており、その係合部３４ｂ、３４ｂの外端部に係合凹部３４ｅ、３４ｅが形成されている。また、本体３１の内面部には、係合部３４ｂ、３４ｂと対応して挟持用舌片３４ａ、３４ａが立設されており、その舌片３４ａ、３４ａに前記係合凹部３４ｅ、３４ｅと対応する係合凹部３４ｆ、３４ｆが形成されている。尚、この舌片３４ａ、３４ａは、保持用口金ピン１３ａ、１３ａの移動方向に弾性を発生できるように本体の内壁から分離し形成している。図８（ｂ）は、図７（ｂ）内の線Ｄ−Ｄ´での断面図であり、舌片３４ａ、３４ａ、係合部３４ｂ、３４ｂが本体３１から分離して形成されている状態がわかる。本体３１とフタ３５は絶縁性を有する合成樹脂で形成される。
【００３７】
図９を用いて直管形ＬＥＤランプ１が装着されるときの、保持用口金ピン１３ａ、１３ａの保持用ソケット３内での作動について説明する。尚、図９は、図７（ｃ）記載のＥ−Ｅ’線での断面斜視図である。直管形ＬＥＤランプ１を給電用ソケット２及び保持ソケット３に装着する場合、給電用口金１２ａ、１２ａを給電用ソケット２側、保持用口金１３を保持用ソケット３側にして、前述の通り、給電用ソケット２に給電用口金ピン１２ａ、１２ａを挿通させるとともに、図９（ａ）に示すように保持用ソケット３のＳ字状案内溝３２内に保持用口金ピン１３ａ、１３ａを挿入する。保持用口金ピン１３ａ、１３ａを図９（ｂ）に示すようにＳ字状案内溝３２内に挿入した後、光源であるＬＥＤが床側を向くようにカバー１１を９０度回転すると、保持用口金ピン１３ａ、１３ａは、Ｓ字状案内溝３２の係止爪３３、３３及び保持用ソケット３内に設けられた舌片３４ａ、３４ａ、係合部３４ｂ、３４ｂの各係止凹部３４ｆ、３４ｅの間に挟持される。これにより、保持用口金ピン１３ａ、１３ａは保持用ソケット３に保持される。
【００３８】
一方、直管形ＬＥＤランプ１を給電用ソケット２及び保持用ソケット３から取外す際には、カバー１１を９０度回転させると、給電用口金ピン１２ａ，１２ａは、図６（ｂ）に示した状態からバネ４３により装着解除部材４２が回転子筒部４１ｂの溝部４１ｃに沿って前面部４１ａ方向に押し出され（図６（ａ）の状態に戻る）、段差面部４２ａ、４２ａに先端部が当接している給電用口金ピン１２ａ、１２ａを給電用ソケット２の外側に取り外すことができる。
【００３９】
一方、保持用口金ピン１３ａ，１３ａは、保持用ソケット３における舌片３４ａ、３４ａと係合部３４ｂ、３４ｂによる係止と、案内溝３３の係止爪３３、３３による係止が解除され、Ｓ字状案内溝案内溝３２に沿って回転し、図７（ａ）、図９（ｂ）のように、Ｓ字状案内溝３２と本体３１の上面部に形成された溝部が一致した状態となったとき、保持用口金ピン１３ａ、１３ａを本体３１の上面部に形成された溝部を通して取り外すことができる。
【００４０】
以上説明したように、給電用ソケット２には装着解除部材４２が設けられ、給電用口金ピン１２ａ、１２ａに絶縁性材料で形成された誤装着防止部材１４が挟持された直管形ＬＥＤランプ１のみ、給電用ソケット２に設けられた装着解除部材４２を解除することができ、照明器具６に装着することができる。したがって、本発明の照明器具６には、専用の直管形ＬＥＤランプしか装着することはできず、誤ってＧ１３口金の直管形ＬＥＤランプが装着されるのを防止することができる。
【００４１】
また、本実施形態の直管形ＬＥＤランプ１は、カバー１１の軸方向の一端側に給電用口金１２を、他端側に保持用ソケット１３を備えている。給電用口金１２には給電用口金ピン１２ａ、１２ａが設けられ、給電用ソケット２を介して通電されるが、保持用口金１３に設けられた保持用口金ピン１３ａ、１３ａはＬＥＤ基板や電源回路と電気的に接続されていない。これにより、照明器具へ直管形ＬＥＤランプ１を装着する際、給電用口金ピン１２ａ、１２ａが給電用ソケット２に先に装着されても、直管形ＬＥＤランプ１のもう一端の保持用口金ピン１３ａ、１３ａは通電されないので、誤ってその口金ピンに接触しても感電の虞がなく、安全に簡便に装着作業が行える。逆に、照明器具から直管形ＬＥＤランプ１を外す際、給電用口金ピン１２ａ、１２ａが給電用ソケット２に装着されたまま、先に保持用口金３を保持用ソケット３から外そうとしても、保持用口金ピン１３ａ、１３ａは通電されないので、誤ってその口金ピンに接触しても感電の虞がなく、安全に簡便に装着作業が行える。
【符号の説明】
【００４２】
１              直管形ＬＥＤランプ
２              給電用ソケット
５              給電用接触子
１２            給電用口金
１４            誤装着防止部材
２５            規制リブ
４１            回転子
４２            装着解除部材  
【図１】
2014103040.tif 000003
【図２】
2014103040.tif 000004
【図３】
2014103040.tif 000005
【図４】
2014103040.tif 000006
【図５】
2014103040.tif 000007
【図６】
2014103040.tif 000008
【図７】
2014103040.tif 000009
【図８】
2014103040.tif 000010
【図９】
2014103040.tif 000011